(57)【要約】【課題】万一の心ない悪戯を防ぐためにカロートを簡単には開けることができないようにすると共に、外部からの雨水や塵埃の安易な侵入を防いでカロート内部の清浄な状態を維持できる、遺骨を収納するための供養塔を提供する。【解決手段】供養塔(P)はカロート(1)と塔本体(2)及び供物台(3)を備えている。カロート(1)は、地中に施工された基礎(41,42)の上に設けられ、塔本体(2)はカロート(2)の上部に固定されている。塔本体(2)には、骨壺を置く棚(202)が設けられている。カロート(1)の入れ口(14)は、塔本体(2)の内部に位置している。カロート(1)の底部には外部とつながる抜き部(13)が設けられ、抜き部(13)には土が露出させてある。【選択図】図２
0003128630.tif 000002
【実用新案登録請求の範囲】
【請求項１】
遺骨を収納するためのカロートを備えた供養塔であって、
塔本体(2)とカロート(1)を備えており、
塔本体(2)には、骨壺を置く棚(202)または収容部が設けられており、
カロート(1)には、入れ口(14)と、外部とつながる抜き部(13)が設けられ、入れ口(14)は塔本体(2)の内部に位置している、
カロートを備えた供養塔。
【請求項２】
遺骨を収納するためのカロートを備えた供養塔であって、
塔本体(2)とカロート(1)を備えており、
塔本体(2)には、骨壺を置く棚(202)または収容部が設けられており、
カロート(1)には、入れ口(14)が設けられ、入れ口(14)は塔本体(2)の内部に位置しており、
カロート(1)の底部には外部とつながる抜き部(13)が設けられ、抜き部(13)には土が露出させてある、
カロートを備えた供養塔。
【請求項３】
遺骨を収納するためのカロートを備えた供養塔であって、
塔本体(2)とカロート(1)を備えており、
カロート(1)は、地中に施工された基礎(41,42)の上に設けられ、塔本体(2)はカロート(1)に固定されており、
塔本体(2)には、骨壺を置く棚(202)または収容部が設けられており、
カロート(1)には、入れ口(14)と、外部とつながる抜き部(13)が設けられ、入れ口(14)は塔本体(2)の内部に位置している、
カロートを備えた供養塔。
【請求項４】
遺骨を収納するためのカロートを備えた供養塔であって、
塔本体(2)とカロート(1)を備えており、
カロート(1)は、地中に施工された基礎(41,42)の上に設けられ、塔本体(2)はカロート(2)に固定されており、
塔本体(2)には、骨壺を置く棚(202)または収容部が設けられており、
カロート(1)には、入れ口(14)が設けられ、入れ口(14)は塔本体(2)の内部に位置しており、
カロート(1)の底部には外部とつながる抜き部(13)が設けられ、抜き部(13)には土が露出させてある、
カロートを備えた供養塔。
【考案の詳細な説明】
【技術分野】
【０００１】
本考案は、カロートを備えた供養塔に関するものである。更に詳しくは、カロートを外部から開けることができないようにすると共に、カロート内部の清浄な状態を維持できるようにしたカロートを備えた供養塔に関する。
【背景技術】
【０００２】
近代の墓は、遺骨を納めるためのカロート（納骨室）を備えたものが一般的である（特許文献１、２参照）。
カロートは、底部を抜いて土が露出させてあったり、底部がコンクリートや石板で形成してある場合は抜き穴が設けてあるなど、いずれにしても納骨された遺骨の風化を促進する構造を有している。特許文献１、２記載の墓は、墓石の下の地中にカロートが設けられた構造であり、カロートは入れ口を覆う蓋石を外して内部に納骨することができるようになっている。
【０００３】
しかしながら、上記文献記載のカロート付きの墓には、次のような問題があった。
すなわち、カロートの入れ口を覆う蓋石は、特に覆うものもなく外部に露出しており、いわば雨ざらしである。このため、入れ口と蓋石の隙間から雨水や塵埃が安易に侵入してしまうので、遺骨の風化を促進するためとはいえ、カロート内部が汚くなっているものが多い。さらには、蓋石は比較的容易に外すことができるため、遺骨の入った骨壺を盗んだり壊してしまうなど、心ない悪戯も少なくなかった。
【０００４】
【特許文献１】特開平８−３３８１６０
【０００５】
【特許文献２】特開平９−５３３４０
【考案の開示】
【考案が解決しようとする課題】
【０００６】
本考案は、万一の心ない悪戯を防ぐためにカロートを簡単には開けることができないようにすると共に、外部からの雨水や塵埃の安易な侵入を防いでカロート内部の清浄な状態を維持できる、遺骨を収納するための供養塔を提供することを課題とする。
【課題を解決するための手段】
【０００７】
上記課題を解決するために本考案が講じた手段は次のとおりである。
【０００８】
本考案は、
遺骨を収納するためのカロートを備えた供養塔であって、
塔本体とカロートを備えており、
塔本体には、出入口と、骨壺を置く棚または収容部が設けられており、
カロートには、入れ口と、外部とつながる抜き部が設けられ、入れ口は塔本体の内部に位置している、
カロートを備えた供養塔である。
【０００９】
本考案は、
遺骨を収納するためのカロートを備えた供養塔であって、
塔本体とカロートを備えており、
塔本体には、出入口と、骨壺を置く棚または収容部が設けられており、
カロートには、入れ口が設けられ、入れ口は塔本体の内部に位置しており、
カロートの底部には外部とつながる抜き部が設けられ、抜き部には土が露出させてある、
カロートを備えた供養塔である。
【００１０】
本考案は、
遺骨を収納するためのカロートを備えた供養塔であって、
塔本体とカロートを備えており、
カロートは、地中に施工された基礎の上に設けられ、塔本体はカロートに固定されており、
塔本体には、出入口と、骨壺を置く棚または収容部が設けられており、
カロートには、入れ口と、外部とつながる抜き部が設けられ、入れ口は塔本体の内部に位置している、
カロートを備えた供養塔である。
【００１１】
本考案は、
遺骨を収納するためのカロートを備えた供養塔であって、
塔本体とカロートを備えており、
カロートは、地中に施工された基礎の上に設けられ、塔本体はカロートに固定されており、
塔本体には、出入口と、骨壺を置く棚または収容部が設けられており、
カロートには、入れ口が設けられ、入れ口は塔本体の内部に位置しており、
カロートの底部には外部とつながる抜き部が設けられ、抜き部には土が露出させてある、
カロートを備えた供養塔である。
【００１２】
本考案にいうカロート(calotte)は、墓に収められたり設けられる納骨用容器または納骨堂、納骨室の意味を含むものである。
塔本体は、コンクリートで型成形した部材を使用して形成してもよいし、御影石などの石を加工した部材を使用して形成してもよい。
カロートも同様に、コンクリートで型成形した部材を使用して形成してもよいし、石を加工した部材を使用して形成してもよい。
塔本体及びカロートの大きさは、例えば、それぞれ人一人が入れる程度の大きさに形成されるが、さらに大きく形成してもよく、これに限定するものではない。
【００１３】
（作用）
本考案に係るカロートを備えた供養塔の作用を説明する。なお、ここでは、説明で使用する各構成要件に、後述する実施の形態において各部に付与した符号を対応させて付与するが、この符号は、実用新案登録請求の範囲の各請求項に記載した符号と同様に、あくまで内容の理解を容易にするためであって、各構成要件の意味を上記各部に限定するものではない。
【００１４】
供養塔(P)は、カロート(1)の入れ口(14)が塔本体(2)の内部に位置している。また、塔本体(2)には、通常は施錠されるので、入れ口(14)は簡単には開けることができない。
また、カロート(1)の入れ口(14)が塔本体(2)の内部に位置していることにより、外部からの雨水や塵埃の安易な侵入を防ぐことができ、カロート(1)内部の状態を清浄な状態で維持することができる。
【００１５】
カロート(1)の抜き部(13)に土が露出させてあるものは、カロート(1)内が常時外部と通じることによって、散骨された遺骨の風化を促進することができる。また、時間の経過と共に、カロート(1)内部には抜き部(13)から多少の湿気や水が上がるものの、カロート(1)内部の状態は、抜き部(13)を設けない場合と同様に比較的清浄な状態に維持される。
【００１６】
カロート(1)が地中に施工された基礎(41,42)の上に設けられ、塔本体(2)はカロート(1)に固定されているものは、塔本体(2)を施工するための基礎を別に設ける必要はない。いわば、カロート(1)が塔本体(2)の基礎となり、例えばカロート(1)と同様に塔本体(2)も基礎の上に設ける構造とする場合と比較して、構造が簡単になる。
【考案の効果】
【００１７】
（ａ）本考案に係るカロートを備えた供養塔は、カロートの入れ口が塔本体の内部に位置しており、塔本体にも通常は施錠されるので、入れ口は簡単には開けることができない。これにより、遺骨の入った骨壺を盗んだり壊してしまうなどの心ない悪戯も防止することができる。また、上記構造により、外部からの雨水や塵埃の安易な侵入を防ぐことができるので、カロート内部の状態を清浄な状態で維持することができる。
【００１８】
（ｂ）カロートの抜き部に土が露出させてあるものは、カロート内が常時外部と通じることによって、散骨された遺骨の風化を促進することができる。また、カロート内部に抜き部から多少の湿気や水が上がるものの、カロート内部の状態は、抜き部を設けない場合と同様に清浄な状態に維持することができる。
【００１９】
（ｃ）カロートが地中に施工された基礎の上に設けられ、塔本体はカロートに固定されているものは、例えばカロートと同様に塔本体も基礎の上に設ける構造とする場合と比較して、構造が簡単であるだけ施工期間を短縮することができると共に、施工コストを抑えることができる。
【考案を実施するための最良の形態】
【００２０】
本考案を図に示した実施例に基づき詳細に説明する。
【実施例】
【００２１】
図１は本考案に係る供養塔の一実施の形態を示す分解斜視説明図、
図２は図１に示す供養塔の設置状態の縦断面説明図、
図３は図２におけるＡ−Ａ部分に対応する箇所の断面説明図、
図４は図２におけるＢ−Ｂ部分に対応する箇所の断面説明図である。
【００２２】
供養塔Ｐは、カロート１と塔本体２及び供物台３により構成されている。
カロート１は、下側の約三分の二が地中に埋設され、上側の約三分の一が地面ＧＬから突出するように施工されている。施工に際しては、まず地面に所要の深さの施工穴４を掘り、底面４０を整地する。次に、底面４０の上にグリ石４１を敷いて転圧し、さらに砂利４２を敷く。そして、砂利４２の上に鉄筋と型枠を組み、コンクリートを打ち込んで施工する。型を抜いた後は、カロート１周囲に土が埋め戻されて整地される。
【００２３】
カロート１は、台部１０、側部１１及び天部１２を有している。台部１０、側部１１、天部１２は、それぞれ所要の厚さを有する板状である。台部１０は、外形が平面視で四角形状であり、内部側には同じく四角形状の抜き部１３が設けられている。抜き部１３には、土の部分が露出させてあるが、砂利４２やグリ石４１をあらかじめ広く施工しておいて、これを露出させてもよい。この抜き部１３は、納骨が一定期間過ぎた遺骨を散骨する部分となる。
【００２４】
側部１１は、台部１０の各部幅方向の中間部に沿うように所要高さに立設されており、平面視四角形の壁部を構成している（図４参照）。側部１１の上部には、天部１２が水平に設けられている。天部１２は、外形が平面視で四角形状であり、台部１０の外形の平面視形状より若干小さく形成されている。天部１２には、中央よりやや後部寄り（図２において右寄り）に四角形状の入れ口１４が貫通して設けられている。入れ口１４には、蓋１５が着脱可能に嵌め入れてある。なお、入れ口１４の大きさは、少なくともカロート内部に散骨をする際に支障のない大きさであれば特に限定せず、人が出入りできる大きさに形成することもできる。
【００２５】
塔本体２は、カロート１の天部１２に固定されている。塔本体２は、外形が平面視で四角形状となるように組まれた、コンクリートで成形された壁部（符号省略）を備えている。壁部は、正面板２２、左右の側板２３及び背面板２４により構成されている。正面板２２、各側板２３及び背面板２４は、カロート１の天部１２に設けてある複数のアンカー１６によって、後述する各角部材２００を取り付けることにより固定されている。
【００２６】
正面板２２、各側板２３及び背面板２４は、壁部の周方向における四箇所の角部に、水平方向の断面形状がほぼＬ字状の角部材２００を立設し、さらに正面板２２及び各側板２３では中断した部分を塞ぐように壁材２０１を取り付けた構造を有している（図３参照）。そして、正面板２２の壁材２０１には銘文表示部２２０が設けられている。また、背面板２４の中断した部分には、開き戸２４０が設けられ、この部分が出入口となっている。
【００２７】
正面板２２及び各側板２３の内部側には、骨壺を載置する複数段の棚２０２が平面視でコ字状に設けられている。棚２０２は上記蓋１５の上方に被さらないようにしてあり、蓋１５の開閉に支障がないようにしている（図３参照）。本実施の形態では、棚２０２を支えるために棚フレーム２０３を置いているが、例えば棚２０２を正面板２２及び各側板２３に固定する固定部の強度と棚２０２自体の強度を確保することにより、棚フレーム２０３は使用しない構造としてもよい。なお、骨壺を収容する部分については、必ずしも棚でなくてもよく、専用の台を置くなど、各種の公知の収容手段を使用することができる。
【００２８】
正面板２２、各側板２３及び背面板２４の下端部には、下部段板２５が水平に設けてある。下部段板２５のやや上方には、同様に上記各板２２、２３、２４に上部段板２６が水平に設けてある。下部段板２５及び上部段板２６は、外形が平面視で四角形状であり、上部段板２６が下部段板２５より小さく形成されている。上部段板２６の四辺の外縁部から下部段板２５にかけて、長方形状の上部幕板２６０が設けてある。上部幕板２６０は、上部段板２６と下部段板２５の間の空間を塞ぐように形成されている。
【００２９】
また、下部段板２５の四辺の外縁部から地面ＧＬにかけて、長方形状の下部幕板２５０が設けてある。下部幕板２５０は、下部段板２５と地面ＧＬの間の空間を塞ぐように形成されている。なお、下部幕板２５０の下縁部は、地面ＧＬに接するように設けられており、そのために地面ＧＬはほぼ水平になるように整地されている。正面側の下部幕板２５０と上部幕板２６０の前部には、供物台３が置かれている。
【００３０】
正面板２２、各側板２３及び背面板２４の上部には、上部を塞ぐように内天板２８が水平に設けられている。また、正面板２２、各側板２３及び背面板２４の上部には、屋根部２７が設けられている。屋根部２７は、外形が平面視で正方形であり、頂点を中心に四面がやや反った構造の傾斜面を有する、いわゆる方形（ほうぎょう）屋根である。屋根部２７の頂点には、寺院建築でいえば相輪にあたるポール２７０が垂直に設けられている。
【００３１】
（作用）
図１ないし図４を参照して本実施の形態に係る供養塔Ｐの作用を説明する。
供養塔Ｐの塔本体２内部の棚２０２には、遺骨を入れた骨壺（図示省略）が適宜収納される。納骨が一定期間過ぎた遺骨は、蓋１５を開け、入れ口１４からカロート１内に散骨される。散骨された遺骨は、カロート１内が抜き部１３によって外部と通じていることによって、風化が促進され、最終的に土に帰ることができる。
【００３２】
供養塔Ｐのカロート１の入れ口１４は、塔本体２の内部に位置しており、外部からの雨水や塵埃の安易な侵入を防ぐことができ、カロート１内部の状態を清浄な状態で維持することができる。なお、抜き部１３には土が露出させてあるので、時間の経過と共に、カロート１内部には抜き部１３から多少の湿気や水が上がるものの、雨水や塵埃とは違って比較的清浄な状態は十分に保たれる。また、塔本体２の出入口である開き戸２４０には、通常は施錠されるので、入れ口１４は、関係者以外、簡単には開けることができない。これにより、心ない悪戯も防ぐことができる。
【００３３】
また、供養塔Ｐは、カロート１が地中に施工された基礎を構成するグリ石４１、砂利４２の上に設けられており、塔本体２は、このカロート１の上部に固定されている。この構造によれば、塔本体２を施工するための基礎を別に設ける必要はない。つまり、カロート１が塔本体２の基礎となり、カロート１と同様に塔本体２にも基礎を施工する構造と比較して、全体の構造が簡単になり、施工期間が短縮できると共にコストも安価に抑えることが可能になる。
【００３４】
なお、本明細書で使用している用語と表現は、あくまで説明上のものであって限定的なものではなく、上記用語、表現と等価の用語、表現を除外するものではない。また、本考案は図示されている実施の形態に限定されるものではなく、技術思想の範囲内において種々の変形が可能である。
【図面の簡単な説明】
【００３５】
【図１】本考案に係る供養塔の一実施の形態を示す分解斜視説明図。
【図２】図１に示す供養塔の設置状態の縦断面説明図。
【図３】図２におけるＡ−Ａ部分に対応する箇所の断面説明図。
【図４】図２におけるＢ−Ｂ部分に対応する箇所の断面説明図。
【符号の説明】
【００３６】
Ｐ  供養塔
１  カロート
１０  台部
１１  側部
１２  天部
１３  抜き部
１４  入れ口
１５  蓋
１６  アンカー
２  塔本体
２２  正面板
２２０  銘文表示部
２３  側板
２４  背面板
２４０  開き戸
２５  下部段板
２５０  下部幕板
２６  上部段板
２６０  上部幕板
２７  屋根部
２８  内天板
２７０  ポール
２００  角部材
２０１  壁材
２０２  棚
２０３  棚フレーム
３  供物台
４  施工穴
４０  底面
４１  グリ石
４２  砂利
【図１】
0003128630.tif 000003
【図２】
0003128630.tif 000004
【図３】
0003128630.tif 000005
【図４】
0003128630.tif 000006